(57)【要約】【課題】画像形成装置において、各色の画像を重ね合わせる際の、画質の低下，定着性の悪化を阻止する。【解決手段】マゼンタ，ブラックとイエロー，シアンで、図示のように、走査方向が逆にもかかわらず、第２のレーザビームの画像信号の成長方法の向きを“前半から”とし、第１のレーザビームの画像信号の成長方法の向きである“後半から”とは逆にすることで、画像をドットの左側に重ねあわせることができ、低コストで、画質の低下，定着性の悪化の阻止することができる。【選択図】        図６
2004314345.tif 000002
【特許請求の範囲】
【請求項１】
第１のレーザビームを発生する第１のレーザビーム発生手段と、
第２のレーザビームを発生する第２のレーザビーム発生手段と、
前記第１のレーザビームにより走査される第１の感光体と、
前記第２のレーザビームにより走査される第２の感光体と、
前記第１と第２の２つのレーザビームを互いに反対方向に偏向走査する構成で、前記２つのレーザビームを同時に前記第１と第２の感光体表面上に偏向走査させる１つの回転多面鏡と、
前記第１のレーザビームの走査路上にあって、レーザビームが入力されると、前記第１のレーザビームの主走査方向の画像書き出しタイミングの基準となる第１の水平同期信号を発生する第１のレーザビーム検出手段と、
前記第２のレーザビームの走査路上にあって、レーザビームが入力されると、前記第２のレーザビームの主走査方向の画像書き出しタイミングの基準となる第２の水平同期信号を発生する第２のレーザビーム検出手段と、
前記第１のレーザビームの画像信号の成長方法を設定する第１の成長方法設定手段と、
前記第２のレーザビームの画像信号の成長方法を設定する第２の成長方法設定手段と、
前記第１の水平同期信号に同期し、前記第１の成長方法設定手段で設定した成長方法による前記第１のレーザビームの画像信号、および前記第２の水平同期信号に同期し、前記第２の成長方法設定手段で設定した成長方法による前記第２のレーザビームの画像信号を出力するように制御する制御手段と、
を備えたことを特徴とする画像形成装置。
【発明の詳細な説明】
【０００１】
【発明の属する技術分野】
本発明は、複数のレーザビームを用いて異なる色画像を形成する画像形成装置に関し、特に各色の画像を重ね合わせる際の、画質の低下，定着性の悪化の阻止に関するものである。
【０００２】
【従来の技術】
従来、電子写真方式を用いた画像形成装置においては、画像信号によって変調されたレーザビームが回転する多面鏡（以後ポリゴンミラーという）を有するスキャナによって反射され、感光体上を走査することによって画像形成を行っている。感光体はドラム状のものが多用され、感光ドラムと呼ばれている。この方式をカラーレーザプリンタに応用する場合、色の異なる（例えばイエロー（Ｙ），マゼンタ（Ｍ），シアン（Ｃ），ブラック（ＢＫ）の４色）複数の画像を重ね合わせてカラー画像をシート状媒体上に形成している。この重ねあわせ技術を達成するための方式には次のようなものがある。
【０００３】
第１の方式としては、第１の色画像信号を感光ドラム上に走査して潜像を作り、可視化するために現像剤を付着させ、これを記録紙に転写し、その後に感光ドラムをクリーニングし、再び第２の色画像信号を同一の感光ドラムに走査し潜像を作り、第１と同様の工程を行う。ただし、現像剤は第２の色のものを使用する。これを第３の色画像信号、第４の色画像信号に対しても同じ工程を繰り返す。このようにして同一の記録紙に複数回現像した画像を重ねあわせることによって１つの画像記録を行うものである。
【０００４】
また、第２の方式においては、複数の画像信号に対して同数の感光ドラムを具備し、それぞれの色画像信号に対して１対１に対応する感光ドラムに潜像を作り、それぞれ異なる色の現像剤でもって可視化現像を行い、そして記録紙に順次転写する。この場合、１つの画像信号に対して１つのレーザビーム、１つのスキャナ、レーザビームの画像書き出しタイミングを検知するための１つのＢＤ（Ｂｅａｍ  Ｄｅｔｅｃｔ）センサ、１つの感光ドラムを用意するのが一般的であり、従って重ねあわせるべき画像信号が複数ある場合は画像信号と同数のレーザ，スキャナ，感光ドラムおよびＢＤセンサが必要である。
【０００５】
前記第１の方式は、帯電−露光−現像−転写−クリーニングの一連の電子写真プロセスを第１の色画像信号に対して行い、次に第２の色画像信号に対して再び同じプロセスを行い、第３の色画像信号に対しても、第４の色画像信号に対してもそれぞれ時系列的に行わなければならない。従って１枚のプリント時間が非常に長いという問題がある。
【０００６】
前記第２の方式は、第１の方式に対して短時間でプリントできるというメリットがある。しかし前述の如く、レーザビーム，スキャナ，感光ドラム，ＢＤセンサをそれぞれの色画像信号の数と同数を用意しなければならず、装置が大型化し、高価になるという問題がある。
【０００７】
どちらの方式においても、各色の画像を重ねあわせていくため、各色の画像位置が合わないことで発生する、いわゆる色ずれを起こしやすい。特に後者の構成においては、異なったスキャナ，感光ドラムを用いてそれぞれの色画像を形成するため、色毎のレジストレーションが合い難いという問題点を有している。そのため、色毎のレジストレーション合わせを行っている。例えば、中間転写ベルト（Ｉｎｔｅｒｍｅｄｉｅｒ  Ｔｒａｎｓｆｅｒ  Ｂｅｌｔ：ＩＴＢと略記する）や静電転写ベルト（Ｅｌｅｃｔｒｏｓｔａｉｃ  ＴｒａｎｓｐｏｒｔａｔｉｏｎＢｅｌｔ：ＥＴＢと略記する）上にレジスト検知用パターン画像を形成し、これをレジスト検知センサで読み取って、画像の書き出し位置等にフィードバックすることによって補正を行う手段が用いられている。
【０００８】
レジスト検知センサは、ＩＴＢまたはＥＴＢ上に形成されたレジスト検知用画像パターンを、光源で照射し、反射光をフォーカシングした受光センサで読み取り、レジスト検知用パターンが通過したときの受光センサの信号における時間的な強度変化を位置ずれ情報として、電気的に処理を行っている。
【０００９】
また、解像度を上げるために、１ドット（１画素）の画像を数分割している。図１２ないし図１４にその例を示す。／ＢＤはＢＤセンサの信号であり、負論理である。イエロー（Ｙ），マゼンタ（Ｍ），シアン（Ｃ），ブラック（ＢＫ）は、画像信号であり、負論理である。Ｌｏｗ部実線と点線をあわせたものが１ドットの信号になる。
【００１０】
図１２（ａ）は主走査方向と同じ方向の左側から成長させている画像であり、図１２（ｂ）は主走査方向と逆方向の右から成長させている画像であり、図１２（ｃ）は中央から成長させている。
【００１１】
各色の画像を重ね合わせる時の成長方法は、主走査方向に対して主走査方向と同じ方向から成長させる図１３（ａ）、主走査方向に対して主走査方向と逆方向から成長させる図１３（ｂ）、主走査方向に対して主走査方向と同じ方向でもなく主走査方向と逆方向でもなく１ドットの中央から成長させる図１３（ｃ）がある。
【００１２】
図１４に各色のドットの画像成長タイミングを示す。図１４（ａ）は主走査方向に対して主走査方向と同じ方向から成長させている。図１４（ｂ）は主走査方向に対して主走査方向と逆方向から成長させている。図１４（ｃ）は主走査方向に対して主走査方向と同じ方向でもなく主走査方向と逆方向でもなくドットの中央から成長させている。
【００１３】
このように、画像を成長させることで画質を向上させていた。
【００１４】
【発明が解決しようとする課題】
しかしながら、色毎に主走査方向が異なる光学系の場合、各色の画像を重ね合わせる際に、従来と同様に各色同じ方向から成長させると、色毎に成長方向が変わってしまい、画質の低下を引き起こしてしまうという問題がある。また、定着性が悪化してしまうという問題がある。
【００１５】
本発明は、このような状況のもとでなされたもので、画像形成装置において、各色の画像を重ね合わせる際の、画質の低下，定着性の悪化を阻止することを課題とするものである。
【００１６】
【課題を解決するための手段】
前記課題を解決するため、本発明では、画像形成装置をつぎの（１）のとおりに構成する。
【００１７】
（１）第１のレーザビームを発生する第１のレーザビーム発生手段と、
第２のレーザビームを発生する第２のレーザビーム発生手段と、
前記第１のレーザビームにより走査される第１の感光体と、
前記第２のレーザビームにより走査される第２の感光体と、
前記第１と第２の２つのレーザビームを互いに反対方向に偏向走査する構成で、前記２つのレーザビームを同時に前記第１と第２の感光体表面上に偏向走査させる１つの回転多面鏡と、
前記第１のレーザビームの走査路上にあって、レーザビームが入力されると、前記第１のレーザビームの主走査方向の画像書き出しタイミングの基準となる第１の水平同期信号を発生する第１のレーザビーム検出手段と、
前記第２のレーザビームの走査路上にあって、レーザビームが入力されると、前記第２のレーザビームの主走査方向の画像書き出しタイミングの基準となる第２の水平同期信号を発生する第２のレーザビーム検出手段と、
前記第１のレーザビームの画像信号の成長方法を設定する第１の成長方法設定手段と、
前記第２のレーザビームの画像信号の成長方法を設定する第２の成長方法設定手段と、
前記第１の水平同期信号に同期し、前記第１の成長方法設定手段で設定した成長方法による前記第１のレーザビームの画像信号、および前記第２の水平同期信号に同期し、前記第２の成長方法設定手段で設定した成長方法による前記第２のレーザビームの画像信号を出力するように制御する制御手段と、
を備えたことを特徴とする画像形成装置。
【００１８】
【発明の実施の形態】
以下本発明の実施の形態を、カラーレーザプリンタの実施例により詳しく説明する。
【００１９】
【実施例】
（実施例１）
図１は、実施例１である“カラーレーザプリンタ”の概略構成を示すブロック図であり、２０１はレーザプリンタ、２０２はホストコンピュータである。本実施例は４ドラム方式のカラーレーザプリンタの例である。
【００２０】
本カラーレーザプリンタ２０１は４色（イエローＹ，マゼンタＭ，シアンＣ，ブラックＢＫ）の画像を重ねあわせたカラー画像を形成するために４色の画像形成部を備えている。
【００２１】
画像形成部は、像担持体としての感光ドラムを有するトナーカートリッジ２０７から２１０と、画像露光用光源としてのレーザビームを発生させるレーザダイオードを有するスキャナユニット２０５，２０６とからなる。このうち、トナーカートリッジは４色それぞれ１つづつ有する。しかし、スキャナユニットに関しては、イエロー，マゼンタで共通の１つ、シアン，ブラックで共通の１つ、全部で２つであるのが特徴である。このスキャナユニットに関しては後で詳しく説明する。
【００２２】
ホストコンピュータ２０２からの画像データを受け取ると、レーザプリンタ２０１内のビデオコントローラ２０３で前記画像データをビットマップデータに展開し、画像形成用のビデオ信号を生成する。ビデオコントローラ２０３とエンジンコントローラ２０４はシリアル通信を行い、情報の送受信を行っている。ビデオ信号はエンジンコントローラ２０４に送信され、エンジンコントローラ２０４は前記ビデオ信号に応じてスキャナユニット２０５と２０６内のレーザダイオードを駆動し、トナーカートリッジ２０７〜２１０内の感光ドラム（不図示）上にそれぞれ画像を形成する。
【００２３】
前記感光ドラムは、中間転写ベルトＩＴＢ２１１に接しており、各色の感光ドラム上に形成された画像がＩＴＢ２１１上に転写され順次重ね合わされていくことにより、カラー画像が形成される。画像形成のプロセスについては後ほど詳しく述べる。
【００２４】
図２は本カラーレーザプリンタの構造を示す断面図である。
【００２５】
図１と同一のものには同一の符号を付してある。なお、図１で説明したビデオコントローラ２０３およびエンジンコントローラ２０４は図示していない。
【００２６】
３０１〜３０４は感光ドラムであり、それぞれ３０１はブラック、３０２はシアン、３０３はマゼンタ、３０４はイエローの画像の形成に利用される。
【００２７】
図３は、図２におけるスキャナユニット２０５，２０６の詳細を示した図である。
【００２８】
便宜上、スキャナユニット２０５の構成について説明する。２０６は２０５と構成は同様であるため、説明を省く。図３において、１０１および１０２はレーザダイオード（以下レーザと略す場合有り）であり、図示しないエンジンコントローラ２０４からの制御信号によって駆動制御される。便宜上、１０１をＬＤ１、１０２をＬＤ２と称する。１０３はポリゴンミラーであり、図示しないスキャナモータで図中の矢印の方向に一定速度で回転し、レーザダイオードＬＤ１およびＬＤ２からのレーザビームを反射しながら走査する。本実施例ではレーザダイオードＬＤ１からのビームは図の右側から、レーザダイオードＬＤ２からのビームは図の左側から同時にポリゴンミラー１０３に照射される。
【００２９】
１０６−１，１０６−２はレーザダイオードＬＤ１およびＬＤ２の走査路上にあって、レーザビームが入射されると信号を発生する光センサであり、以下ＢＤ（ＢｅａｍＤｅｔｅｃｔ）センサと呼ぶ。このＢＤセンサはＬＤ１，ＬＤ２の走査路上にある。
【００３０】
レーザダイオードＬＤ１から発せられたレーザビームはポリゴンミラー１０３により反射されながら走査され、折り返しミラー１０４でさらに反射され、感光ドラム３０１上を右から左方向に走査する。
【００３１】
なお、実際にはレーザビームは感光ドラム上に焦点をあわせるため、あるいはレーザビームを拡散光から平行光に変換するための各種レンズ（図示）を経由する。
【００３２】
レーザダイオードＬＤ１は図示しないビデオコントローラ２０３で生成された、ビデオ信号によって変調されたレーザビームを発生し、感光ドラム３０１上を走査していく。一方感光ドラム３０１は図示しないドラムモータによって一定速度で図に示す矢印の方向に回転する。感光ドラム３０１は図２の帯電ローラ３０５によって表面を一様に帯電されており、この表面をビデオコントローラ２０３で作成されたビデオ信号で変調されたレーザビームが走査することで、目には見えない静電潜像が形成される。静電潜像は図２の現像器３０９によってトナー像として可視化される。
【００３３】
通常、ビデオコントローラ２０３はＢＤセンサ１０６の出力信号を検知してから所定時間後に、ビデオ信号をエンジンコントローラ２０４に対して送信する。そうすることにより、感光ドラム上のレーザビームによる画像の書き出し位置が常に一致するのである。
【００３４】
一方、レーザダイオードＬＤ２の方についても、レーザダイオードＬＤ１と同様に感光ドラム３０２上に静電潜像を形成する。
【００３５】
このようにして、レーザダイオードＬＤ１によるブラック（ＢＫ）の色画像が感光ドラム３０１上に、また、レーザダイオードＬＤ２によるシアン（Ｃ）の色画像が感光ドラム３０２上に形成される。
【００３６】
前記レーザダイオードＬＤ１とＢＤセンサ１０６−１および第２のレーザダイオードＬＤ２とＢＤセンサ１０６−２をそれぞれ同一の基板に実装する。前記第１のレーザダイオードＬＤ１と前記第２のレーザダイオードＬＤ２を同一の基板に実装することが望ましい。
【００３７】
以上、図２におけるスキャナユニット２０５の説明をした。スキャナユニット２０６についても２０５と全く同様である。すなわち、感光ドラム３０３上にマゼンタ（Ｍ）、感光ドラム３０４上にイエロー（Ｙ）の色画像がそれぞれ形成される。
【００３８】
各色画像は、一定速度で搬送されるＩＴＢ２１１上に順次、重ね合うように転写（一次転写）される。つまり、まず最初にイエロー（Ｙ）の画像がＩＴＢ２１１に転写され、その上に、マゼンタ（Ｍ），シアン（Ｃ），ブラック（ＢＫ）の順に転写され、カラー画像が形成される。
【００３９】
ＩＴＢ上２１１に形成されたカラー画像は、ＩＴＢ２１１によって搬送されていく。一方、カセット３１４内のシートはピックアップローラ３１６によって、転写ローラ３１８の位置でちょうどＩＴＢ２１１上の画像とタイミングが合うようにピックアップされる。そしてカラー画像は転写ローラ３１８に加圧されＩＴＢ２１１からシートの方に転写される（２次転写）。画像が転写されたシートは定着器３１３で、熱と圧力によって、画像を定着させられた後、プリンタの上部、排紙トレイ３１７に排出される。
【００４０】
以上が、画像形成の一連のプロセスである。
【００４１】
次に、ドット（画素）生成手法に関して説明する。
【００４２】
図４において、１０６−２はレーザダイオードＬＤ２用のＢＤセンサである。このＢＤセンサの出力信号から所定タイミングｔｃ′後に画像を書き出せば、正しい位置から画像が書き出されるのである。
【００４３】
図５のドットの重ね合わせ図と、図６ないし図８のポリゴンミラーとドット位置の関係を示す図を用いて詳しく説明する。
【００４４】
図５（ａ）のように画像を各色重ね合わせる場合は、図６に示すように、マゼンタ，ブラックでは、１ドット（１画素）における主走査方向の後半に書き出し、イエロー，シアンでは、１ドットにおける主走査方向の前半に書き出す。図５（ｂ）のように画像を各色重ね合わせる場合は、図７に示すように、マゼンタ，ブラックでは、１ドットにおける主走査方向の前半に書き出し、イエロー，シアンでは、１ドットにおける主走査方向の後半に書き出す。図５（ｃ）のように画像を各色重ね合わせる場合は、図８に示すように、マゼンタ，ブラックでは、１ドットにおける主走査方向のなかばに書き出し、イエロー，シアンも、１ドットにおける主走査方向のなかばに書き出す。
【００４５】
このように書き出すことにより、マゼンタ，ブラックとイエロー，シアンとで走査方向が逆にもかかわらず、図５（ａ），（ｂ），（ｃ）に示すように、１ドット（１画素）における同じ位置に画像を重ね合わせることができるので、色毎に成長方向が変わってしまい、画質の低下を引き起こしたり、定着性が悪化してしまうということがない。
【００４６】
ドットは、１ドットだけでなく、数ドットまとめてもよい。すなわち、数ドットまとめて成長させることも出来る。
【００４７】
また、イエロー（Ｙ）とマゼンタ（Ｍ）、シアン（Ｃ）とブラック（ＢＫ）の走査方向は逆でも良い。
【００４８】
このドット生成は、ビデオコントローラ２０３、もしくはホストコンピュータ２０２、もしくはエンジンコントローラ２０４で行われる。
【００４９】
以上、説明したように、第２のレーザビームの画像信号の成長方法を、第１のレーザビームの画像信号の成長方法の向きと反対にすることで、走査方向が逆にもかかわらず、画像を所望の位置に重ねあわせることができ、低コストで、画質の低下，定着性の悪化の阻止することができる。
【００５０】
（実施例２）
実施例２である“カラーレーザプリンタ”を説明する。本実施例のハードウエア構成および画像形成の一連のプロセスは実施例１と同様なので、その説明を援用する。
【００５１】
本実施例では、ドット生成方法が実施例１と異なる。この様子を、図９のドットの重ね合わせ図と、図１０，図１１のスキャナユニット内のポリゴンミラーと画像位置の関係を示す図を用いて説明する。
【００５２】
図９（ａ）のように画像を各色重ね合わせる場合は、図１０に示すように、マゼンタ，ブラックでは、１ドット（１画素）における主走査方向の前半に書き出し、イエロー，シアンでも、１ドットにおける主走査方向の前半に書き出す。図９（ｂ）のように画像を各色重ね合わせる場合は、図１１に示すように、マゼンタ，ブラックでは、１ドットにおける主走査方向の後半に書き出し、イエロー，シアンでも、１ドットにおける主走査方向の後半に書き出す。
【００５３】
このように書き出すことにより、マゼンタ，ブラックとイエロー，シアンとで走査方向が逆にもかかわらず、図９（ａ），（ｂ）に示すように、１ドット（１画素）における所要の位置に画像を書き出すことができるので、画質の低下を引き起こしたり、定着性が悪化してしまうということがない。
【００５４】
このドット生成は、ビデオコントローラ２０３、もしくはホストコンピュータ２０２、もしくはエンジンコントローラ２０４で行われる。
【００５５】
以上、説明したように、第２のレーザビームの画像信号の成長方法を、第１のレーザビームの画像信号の成長方法と同じ向きとすることで、走査方向が逆にもかかわらず、各色の画像を重ね合わせる際に、各ドットにおける各色の画像を重ね合わせないことができ、低コストで、定着性の向上が図ることができる。
【００５６】
以上の各実施例の説明に裏付けられた実施の形態を以下に列挙する。
【００５７】
（１）第１のレーザビームを発生する第１のレーザビーム発生手段と、
第２のレーザビームを発生する第２のレーザビーム発生手段と、
前記第１のレーザビームにより走査される第１の感光体と、
前記第２のレーザビームにより走査される第２の感光体と、
前記第１と第２の２つのレーザビームを互いに反対方向に偏向走査する構成で、前記２つのレーザビームを同時に前記第１と第２の感光体表面上に偏向走査させる１つの回転多面鏡と、
前記第１のレーザビームの走査路上にあって、レーザビームが入力されると、前記第１のレーザビームの主走査方向の画像書き出しタイミングの基準となる第１の水平同期信号を発生する第１のレーザビーム検出手段と、
前記第２のレーザビームの走査路上にあって、レーザビームが入力されると、前記第２のレーザビームの主走査方向の画像書き出しタイミングの基準となる第２の水平同期信号を発生する第２のレーザビーム検出手段と、
前記第１のレーザビームの画像信号の成長方法を設定する第１の成長方法設定手段と、
前記第２のレーザビームの画像信号の成長方法を設定する第２の成長方法設定手段と、
前記第１の水平同期信号に同期し、前記第１の成長方法設定手段で設定した成長方法による前記第１のレーザビームの画像信号、および前記第２の水平同期信号に同期し、前記第２の成長方法設定手段で設定した成長方法による前記第２のレーザビームの画像信号を出力するように制御する制御手段と、
を備えたことを特徴とする画像形成装置。
【００５８】
（２）前記（１）記載の画像形成装置において、
前記第２の成長方法設定手段で設定する成長方法の向きを、前記第１の成長方法設定定手段で設定する成長方法の向きとは逆方向としたことを特徴とする画像形成装置。
【００５９】
（３）前記（１）の画像形成装置において、
前記第２の成長方法設定手段で設定する成長方法の向きを、前記第１の成長方法設定定手段で設定する成長方法の向きと同方向としたことを特徴とする画像形成装置。
【００６０】
（４）前記（１）の画像形成装置において、
前記第２の成長方法設定手段で設定する成長方法と、前記第１の成長方法設定定手段で設定する成長方法を共に中央から成長させる方法としたことを特徴とする画像形成装置。
【００６１】
（５）前記（１）ないし（４）のいずれかに記載の画像形成装置において、
前記第１のレーザビームを処理する第１の光学系と前記第２のレーザビームを処理する第２の光学系とは、同じ方向を向くように配置され、前記回転多面鏡から前記第１と第２の光学系にレーザビームを反射させることを特徴とする画像形成装置。
【００６２】
（６）前記（５）記載の画像形成装置において、
前記第１のレーザビーム発生手段と前記第２のレーザビーム発生手段が同一の基板に実装されていることを特徴とする画像形成装置。
【００６３】
（７）前記（５）記載の画像形成装置おいて、
前記第１のレーザビーム発生手段と第１のレーザビーム検出手段、および第２のレーザビーム発生手段と第２のレーザビーム検出手段をそれぞれ同一の基板に実装することを特徴とする画像形成装置。
【００６４】
（８）前記（５）記載の画像形成装置において、
前記光学系を複数有し、複数色の画像形成用光源として使用し、複数色の画像を重ねあわせてカラー画像をシート状媒体に形成することを特徴とする画像形成装置。
【００６５】
（９）前記（１）ないし（８）のいずれか記載の画像形成装置において、
前記第１、第２の成長方法設定手段の設定は、エンジンコントローラ、もしくはビデオコントローラ、もしくはホストコンピュータのいずれかで行うことを特徴とする画像形成装置。
【００６６】
前記各実施の形態の効果を次に列挙する。
【００６７】
前記（１）記載の実施の形態によれば、ドットの成長方向を自由に設定することができ、低コストで、高画質かつ定着性の向上が図れる。
【００６８】
前記（２）ないし（４）記載の実施の形態によれば、ドットの成長方向を所望の方向とすることができ、低コストで、高画質かつ定着性の向上が図れる。
【００６９】
前記（６），（７）の実施の形態によれば、レーザ基板とエンジンコントローラとを接続する信号線の引き回しが容易になること、さらには、組み立て易さ、調整機，検査機等のレーザ基板へのアクセスのしやすさが向上し、基板のコストダウンや組み立て費のコストダウンも見込める。
【００７０】
前記（９）の実施の形態によれば、エンジンコントローラ側で、第１，第２のレーザビームの画像信号の成長方法を変えることが出来るので、エンジンコントローラの処理能力が高い画像形成装置においては有効である。また、ビデオコントローラ側、もしくはホストコンピュータ側で、第１，第２のレーザビームの画像信号の成長方法を変えることができるので、新たに特別な機能を設ける必要がなく、従来と全く同じインターフェース、すなわち、各レーザ毎にＢＤ信号がエンジンコントローラから送信されてくる方式でビデオコントローラの設計が可能であり、インターフェースの互換性を保つことができるというメリットがある。
【００７１】
【発明の効果】
以上、説明したように、本発明によれば、ドットの成長方向を自由に設定することができ、低コストで、高画質かつ定着性の向上が図れる。
【図面の簡単な説明】
【図１】実施例１の概略構成を示すブロック図
【図２】実施例１の構造を示す断面図
【図３】スキャナユニットの構成を示す斜視図
【図４】ポリゴンミラーの作用を示す図
【図５】ドットの重ね合わせ図
【図６】ポリゴンミラーとドット位置の関係を示す図（ａ）
【図７】ポリゴンミラーとドット位置の関係を示す図（ｂ）
【図８】ポリゴンミラーとドット位置の関係を示す図（ｃ）
【図９】実施例２におけるドットの重ね合わせ図
【図１０】ポリゴンミラーとドット位置の関係を示す図（ａ）
【図１１】ポリゴンミラーとドット位置の関係を示す図（ｂ）
【図１２】従来例における画像成長方向を示す図
【図１３】ドットの重ね合わせ図
【図１４】従来例の動作を示すタイミングチャート
【符号の説明】
１０１，１０２  レーザダイオード
１０３  ポリゴンミラー
１０６−１，１０６−２  ＢＤセンサ
２０２  ホストコンピュータ
２０３  ビデオコントローラ
２０４  エンジンコントローラ
３０１，３０２  感光ドラム
【図１】
2004314345.tif 000003
【図２】
2004314345.tif 000004
【図３】
2004314345.tif 000005
【図４】
2004314345.tif 000006
【図５】
2004314345.tif 000007
【図６】
2004314345.tif 000008
【図７】
2004314345.tif 000009
【図８】
2004314345.tif 000010
【図９】
2004314345.tif 000011
【図１０】
2004314345.tif 000012
【図１１】
2004314345.tif 000013
【図１２】
2004314345.tif 000014
【図１３】
2004314345.tif 000015
【図１４】
2004314345.tif 000016